(57)【要約】【課題】  電子機器の電源を遠隔からオフする構成を新たな構成を加えることなく実現する。【解決手段】  リアモニタ２は、ワイヤレスヘッドホン１に音声信号を連続的に送信する赤外線送信部２１と、音声信号を制御する制御部２３とを備え、ワイヤレスヘッドホン１は、リアモニタ２から送信された音声信号を受信する赤外線受光部１３と、受信した音声信号を処理し、電源のオン及びオフを制御する制御部１１とを備える。リアモニタ２は、ワイヤレスヘッドホン１の電源１２をオフにする場合に、赤外線送信部２１からワイヤレスヘッドホン１に送信する音声信号を所定の断続パターンに従ってオンオフさせて送信させ、ワイヤレスヘッドホン１は、赤外線受光部１３で受信した音声信号が所定の断続パターンに該当することを検知した場合に、電源をオフにする。【選択図】      図１
2008098778.tif 000002
【特許請求の範囲】
【請求項１】
連続的に配信される情報信号によって駆動する電子機器と、当該電子機器が動作する情報信号を前記電子機器に送信する制御装置とを備える電子機器の電源制御システムにおいて、
前記制御装置は、前記電子機器に情報信号を連続的に送信する信号送信手段と、前記信号送信手段によって送信する情報信号を制御する制御手段とを備え、
前記電子機器は、前記制御装置から送信された情報信号を受信する信号受信手段と、前記信号受信手段によって受信した情報信号を処理する信号処理手段と、電源のオン及びオフを制御する電源制御手段とを備え、
前記制御装置は、前記電子機器の電源をオフにする場合に、前記制御手段によって、前記信号送信手段から前記電子機器に送信する情報信号を所定の断続パターンに従ってオンオフさせて送信させ、前記電子機器は、前記信号受信手段で受信した情報信号が所定の断続パターンに該当することを検知した場合に、前記電源制御手段によって、前記電源をオフにすることを特徴とする電子機器の電源制御システム。
【請求項２】
前記制御装置は、車両の運転席に設けられた操作スイッチから、前記電子機器の電源をオンオフする命令が供給され、当該操作スイッチから前記電子機器の電源をオフとする命令を入力した場合に、前記所定の断続パターンに従って情報信号を送信することを特徴とする請求項１に記載の電子機器の電源制御システム。
【請求項３】
前記電子機器は、ヘッドホンであり、前記制御装置は、前記電子機器に情報信号である音声信号を送信し、
前記制御装置は、前記音声信号を前記所定の断続パターンでオンオフして送信することを特徴とする請求項１又は請求項２に記載の電子機器の電源制御システム。
【請求項４】
前記電子機器は複数台存在し、各電子機器は、それぞれ異なる所定の断続パターンを記憶し、
前記制御装置は、電源をオフとする電子機器に対応した所定の断続パターンで情報信号をオンオフさせて送信することを特徴とする請求項１乃至請求項３の何れか一項に記載の電子機器の電源制御システム。
【請求項５】
前記制御装置は、車両の運転席に設けられた操作スイッチから、前記電子機器の電源をオンオフする命令が供給され、当該操作スイッチから前記電子機器の電源をオフとする命令を入力した場合に、前記所定の断続パターンに従って情報信号を送信して、前記電子機器の電源をオフとし、次いで、自己の電源をオフとすることを特徴とする請求項１乃至請求項４の何れか一項に記載の電子機器の電源制御システム。
【発明の詳細な説明】
【技術分野】
【０００１】
本発明は、電子機器の電源を遠隔でオンオフする電子機器の電源制御システムに関する。
【背景技術】
【０００２】
従来より、例えばワイヤレスヘッドホンといったワイヤレス電子機器の電源を制御する技術としては、下記の特許文献１，２に記載された技術が知られている。
【０００３】
特許文献１には、電源を内蔵したワイヤレスヘッドホンにおいて、頭部に装着したときに自動的に電源が入るようにすることが記載されている。具体的には、ヘッドバンドの端部に結合したハウジングをイヤーパッドを介して頭部に装着するようにしたヘッドホンにおいて、頭部装着時にハウジングに加わる圧力で回路が閉じるスイッチ機構を備えることが記載されている。これによって、ワイヤレスヘッドホンの頭部への装着時に、自動的に電源が入り、使用が終わってワイヤレスヘッドホンを外したときに、自動的に電源が切れるようにしている。
【０００４】
また、特許文献２には、ワイヤレスヘッドホンに設けられたスイッチによって電源をオンとオフとで切り換えることや、一定時間に亘って音声信号の入力が無い場合に電源を自動的にオフとすることが記載されている。
【特許文献１】特開平７−２３４８８号公報
【特許文献２】特開２０００−３２５８０号公報
【発明の開示】
【発明が解決しようとする課題】
【０００５】
しかしながら、上述した特許文献１に記載されている技術では、例えば自動車の後部座席で子供などがワイヤレスヘッドホンを使用していて、ワイヤレスヘッドホンを装着したまま睡眠した場合には、走行中において運転者が後部座席におけるワイヤレスヘッドホンの電源をオフにすることはできなかった。
【０００６】
また、特許文献２に記載されているように、ワイヤレスヘッドホンに内蔵されている電池によって音声信号をスピーカから放音させているために、音声信号がワイヤレスヘッドホンに入力されていなくても電源がオンの状態であり、数分といった一定時間であっても、電池容量が少なくなる問題がある。
【０００７】
そこで、本発明は、上述した実情に鑑みて提案されたものであり、電子機器の電源を遠隔からオフする構成を新たな構成を加えることなく実現することを目的とする。
【課題を解決するための手段】
【０００８】
本発明は、連続的に配信される情報信号によって駆動する電子機器と、当該電子機器が動作する情報信号を電子機器に送信する制御装置とを備える電子機器の電源制御システムにおいて、制御装置は、電子機器に情報信号を連続的に送信する信号送信手段と、信号送信手段によって送信する情報信号を制御する制御手段とを備え、電子機器は、制御装置から送信された情報信号を受信する信号受信手段と、信号受信手段によって受信した情報信号を処理する信号処理手段と、電源のオン及びオフを制御する電源制御手段とを備える。
【０００９】
この電子機器の電源制御システムの制御装置は、上述の課題を解決するために、電子機器の電源をオフにする場合に、制御手段によって、信号送信手段から電子機器に送信する情報信号を所定の断続パターンに従ってオンオフさせて送信させ、電子機器は、信号受信手段で受信した情報信号が所定の断続パターンに該当することを検知した場合に、電源制御手段によって、電源をオフにする。
【発明の効果】
【００１０】
本発明に係る電子機器の電源制御システムによれば、電子機器が処理する情報信号を所定の断続パターンで制御装置から送信するのみで、電子機器の電源をオフとすることができるので、電子機器の電源を遠隔からオフする構成を新たな構成を加えることなく実現することができる。
【発明を実施するための最良の形態】
【００１１】
以下、本発明の実施の形態について図面を参照して説明する。
【００１２】
本発明は、例えば図１に示すように構成された車載通信システムに適用される。この車載通信システムは、連続的に配信される情報信号である音声信号によって駆動する電子機器であるワイヤレスヘッドホン１、当該ワイヤレスヘッドホン１を駆動させる音声信号をワイヤレスヘッドホン１に連続的に送信する制御装置であるリアモニタ２、映像／音声出力装置３、フロントモニタ４、操作スイッチ５及び映像分配器６から構成される。この車載通信システムにおいて、ワイヤレスヘッドホン１は後部座席の乗員によって装着されて使用されるものであり、リアモニタ２は後部座席から映像を視認できる位置に設けられ、フロントモニタ４及び操作スイッチ５は運転席及び助手席の乗員から視認及び操作できる位置に設けられている。なお、以下の説明では、電源制御の対象となる電子機器として、ワイヤレスヘッドホン１を例に挙げて説明するが、これに限らず、映像／音声出力装置３から連続的に送信された情報信号を処理するものであれば、映像表示装置や、ゲーム装置などの各種携帯型機器などであっても良い。
【００１３】
この車載通信システムは、映像／音声出力装置３から出力された映像をリアモニタ２やフロントモニタ４に表示させると共に、映像／音声出力装置３から出力された音声を図示しないフロントスピーカやワイヤレスヘッドホン１で再生するものである。
【００１４】
映像／音声出力装置３は、通信ラインを介して操作スイッチ５、フロントモニタ４及び映像分配器６と接続されると共に、音声ラインを介してリアモニタ２と接続され、映像ラインを介して映像分配器６と接続されている。また、映像／音声出力装置３は、映像分配器６及び通信ラインを介してリアモニタ２と接続されていると共に、映像分配器６及び映像ラインを介してフロントモニタ４及びリアモニタ２と接続されている。
【００１５】
映像／音声出力装置３は、操作スイッチ５又は図示しない後部座席用のリモートコントローラの操作に従った操作入力信号が通信ラインを介して供給される。なお、後部座席用のリモートコントローラからの操作入力信号は、リアモニタ２、通信ライン及び映像分配器６を介して供給される。映像／音声出力装置３は、操作入力信号に従って映像コンテンツを再生して、映像信号を映像分配器６を介してフロントモニタ４又はリアモニタ２に供給する動作や、音声信号をリアモニタ２に供給する動作を行う。
【００１６】
フロントモニタ４に供給された映像信号は、フロントモニタ４で描画処理される。このフロントモニタ４に表示される映像としては、映像コンテンツのみならず、乗員に映像／音声出力装置３の動作を操作させるメニュー画像がある。フロントモニタ４は、映像／音声出力装置３と通信ラインを介して接続されることによって、映像／音声出力装置３からの制御信号が供給される。例えば、表示のオンオフ、映像コンテンツとメニュー画像との表示切り替えの制御信号が供給される。
【００１７】
ワイヤレスヘッドホン１は、制御部１１に、電池１２と、リアモニタ２から送信された赤外線音声信号を受光する信号受信手段である赤外線受光部１３と、スピーカ１４と、電源スイッチ１５と、ボリューム調整部１６とが接続されている。ワイヤレスヘッドホン１は、電池１２からの電力を制御部１１、赤外線受光部１３及びスピーカ１４で受けて駆動する。このワイヤレスヘッドホン１において、制御部１１は、赤外線受光部１３（信号受信手段）によって受信した赤外線音声信号を処理する信号処理及び電池１２のオンオフを制御する電源制御手段である。
【００１８】
このワイヤレスヘッドホン１は、電源スイッチ１５がオン状態に操作された場合には、電池１２からの電力を受けて制御部１１、赤外線受光部１３及びスピーカ１４を動作させ、電源スイッチ１５がオフ状態に操作された場合に電源を切る。制御部１１は、赤外線受光部１３によって赤外線音声信号を受信した場合に、制御部１１によって当該音声信号に従ってスピーカ１４を駆動させる。また、制御部１１は、ボリューム調整部１６の調整位置に従ってスピーカ１４から放音する音量を制御する。
【００１９】
リアモニタ２は、ワイヤレスヘッドホン１に赤外線音声信号を送信する信号送信手段である赤外線送信部２１と、表示モニタ２２と、赤外線送信部２１によって送信する赤外線音声信号を制御する制御手段である制御部２３と、電源回路２４とを備える。リアモニタ２は、映像分配器６から映像ラインを介して映像信号が供給された場合、当該映像信号に従って表示モニタ２２で描画処理を行う。また、リアモニタ２は、映像／音声出力装置３から音声ラインを介して音声信号が供給された場合、赤外線送信部２１によって、音声信号を赤外線音声信号に変換して出力する。また、リアモニタ２は、映像分配器６から通信ラインを介して、映像信号及び音声信号のオン又はオフを示す制御信号が供給された場合、制御部２３によって、表示モニタ２２の表示内容及び赤外線送信部２１からの赤外線音声信号の送信をオン又はオフさせ、電源回路２４によってリアモニタ２自体の電源をオン又はオフさせる。
【００２０】
このように構成された車載通信システムにおいて、リアモニタ２は、ワイヤレスヘッドホン１の電源をオフにする制御信号が映像／音声出力装置３から供給された場合に、制御部２３によって、赤外線送信部２１からワイヤレスヘッドホン１に送信する赤外線音声信号を所定の断続パターンに従ってオンオフさせて送信させる。この所定の断続パターンとは、図２に示すように、ワイヤレスヘッドホン１の音声をオンとオフとで断続的に切り換えるパターンである。
【００２１】
具体的には、リアモニタ２からワイヤレスヘッドホン１に赤外線音声信号を連続的に送信している最中であって、図３に示すように、乗員が操作スイッチ５を操作して、フロントモニタ４に、ワイヤレスヘッドホン１のメインメニュー３１及び当該ワイヤレスヘッドホン１の状態を示すインジケータ３３を含むサブメニュー３２を含むメニュー画像３０を表示させている状態で、ワイヤレスヘッドホン１の電源をオフとする操作を行ったとする。そして、映像／音声出力装置３からワイヤレスヘッドホン１の電源をオフする制御信号を送信して、リアモニタ２の制御部２３で受信した場合、先ず、Ｔ１の期間に亘って赤外線送信部２１からワイヤレスヘッドホン１への赤外線音声信号の送信を停止させ（音声ＯＦＦ）、次いで、Ｔ２の期間に亘って赤外線送信部２１からワイヤレスヘッドホン１への赤外線音声信号の送信を行い（音声ＯＮ）、その後、Ｔ３の期間に亘って音声ＯＦＦ、Ｔ４の期間に亘って音声ＯＮ、Ｔ５の期間に亘って音声ＯＦＦさせる動作を行う。この所定の断続パターンは、予めリアモニタ２及びワイヤレスヘッドホン１に格納されている。
【００２２】
ワイヤレスヘッドホン１は、制御部１１によって、赤外線受光部１３で受信した赤外線音声信号が所定の断続パターンに該当することを検知した場合に、電池１２の消耗を停止するために電源をオフとする。すなわち、制御部１１は、電池１２からの電力供給を遮断する。
【００２３】
以上説明したように、本発明を適用した車載通信システムによれば、既存の赤外線送信部２１及び赤外線受光部１３を利用して、連続的に送信していた音声信号を、所定の断続パターンでオンオフするので、ワイヤレスヘッドホン１の電源を遠隔からオフする構成を新たな構成を加えることなく実現する電子機器の電源制御システムを提供できる。
【００２４】
また、車載通信システムによれば、リアモニタ２によって、車両の運転席に設けられた操作スイッチ５から、ワイヤレスヘッドホン１の電源をオンオフする命令が供給され、当該操作スイッチ５からワイヤレスヘッドホン１の電源をオフとする命令を入力した場合に、所定の断続パターンに従って赤外線音声信号を送信するので、運転席から操作スイッチ５を操作するのみで、例えば後部座席の乗員がワイヤレスヘッドホン１を装着したまま眠った場合などに、ワイヤレスヘッドホン１の電源を運転席側からオフとすることができる。
【００２５】
更に、上述した車載通信システムは、１台のワイヤレスヘッドホン１の電源を遠隔でオフとする構成について説明したが、複数台のワイヤレスヘッドホン１が後部座席に存在する場合には、リアモニタ２と各ワイヤレスヘッドホン１との間で、ワイヤレスヘッドホン１ごとにそれぞれ異なる所定の断続パターンを記憶しておく。
【００２６】
例えば第１ワイヤレスヘッドホンと第２ワイヤレスヘッドホンとが存在する場合に、リアモニタ２には、第１ワイヤレスヘッドホン用の第１断続パターンと、第２ワイヤレスヘッドホン用の第２断続パターンとを記憶しておく。そして、例えば操作スイッチ５の操作によって、映像／音声出力装置３から第２ワイヤレスヘッドホンの電源をオフとする制御信号がリアモニタ２に供給された場合、リアモニタ２の制御部２３によって、赤外線送信部２１から送信する赤外線音声信号を第２断続パターンに従ってオンオフさせる。第２断続パターンの赤外線音声信号を第１ワイヤレスヘッドホンで受信した場合には、第１断続パターンには該当しないので電源がオンの状態を継続し、第２断続パターンの赤外線音声信号を第２ワイヤレスヘッドホンで受信した場合には、予め第２ワイヤレスヘッドホンで記憶している第２断続パターンと合致するので、第２ワイヤレスヘッドホンの電源をオフとする。
【００２７】
これにより、車載通信システムは、それぞれ異なる断続パターンをリアモニタ２及び各ワイヤレスヘッドホン１に記憶させておくことにより、ワイヤレスヘッドホン１ごとに電源のオフを制御できる。
【００２８】
更にまた、上述した車載通信システムは、ワイヤレスヘッドホン１の電源をオフする構成について説明したが、ワイヤレスヘッドホン１のみならず、リアモニタ２は、車両の運転席に設けられた操作スイッチ５から、ワイヤレスヘッドホン１の電源をオンオフする命令が供給され、当該操作スイッチ５からワイヤレスヘッドホン１の電源をオフとする命令を入力した場合に、所定の断続パターンに従って赤外線音声信号を送信して、ワイヤレスヘッドホン１の電源をオフとし、次いで、電源回路２４を制御して、自己の電源をオフとしても良い。
【００２９】
これにより、例えば後部座席の乗員がワイヤレスヘッドホン１を装着したまま眠った場合などに、ワイヤレスヘッドホン１の電源を運転席側からオフとすると共に、リアモニタ２で表示させている映像の表示も停止でき、車両バッテリの電力消費を抑制できる。
【００３０】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００３１】
【図１】本発明を適用した車載通信システムの構成を示すブロック図である。
【図２】所定の断続パターンを説明するタイミングチャートである。
【図３】運転席側のフロントモニタに表示するメニュー画像を示す図である。
【符号の説明】
【００３２】
１  ワイヤレスヘッドホン
２  リアモニタ
３  映像／音声出力装置
４  フロントモニタ
５  操作スイッチ
６  映像分配器
１１  制御部
１２  電池
１３  赤外線受光部
１４  スピーカ
１５  電源スイッチ
１６  ボリューム調整部
２１  赤外線送信部
２２  表示モニタ
２３  制御部
２４  電源回路
【図１】
2008098778.tif 000003
【図２】
2008098778.tif 000004
【図３】
2008098778.tif 000005